(57)【要約】【課題】電源を切って光源を消した後のスクリーン表面の知覚色が自然で違和感がない色にした透過型スクリーン及び透過型スクリーン用シート並びに背面投射型プロジェクションテレビジョンを提供する。【解決手段】任意の波長成分からなる映像光を投射する投射装置を備えた背面投射型プロジェクションテレビジョンに装着される透過型スクリーンであって、その透過型スクリーンが、前記波長成分中の特定の波長成分を吸収する第１着色材により着色された第１着色部３２と、前記第１着色材で着色された色の補色又は当該補色に近い色を呈する第２着色材により着色された第２着色部４１とを有することにより、上記課題を解決する。【選択図】図４
2008170607.tif 000002
【特許請求の範囲】
【請求項１】
任意の波長成分からなる映像光を投射する投射装置を備えた背面投射型プロジェクションテレビジョンに装着される透過型スクリーンであって、
当該透過型スクリーンは、前記波長成分中の特定の波長成分を吸収する第１着色材により着色された第１着色部と、前記第１着色材で着色された色の補色又は当該補色に近い色を呈する第２着色材により着色された第２着色部とを有することを特徴とする透過型スクリーン。
【請求項２】
前記特定の波長成分が、４８０〜５１０ｎｍの波長帯、５８０〜６００ｎｍの波長帯及び６１０〜６４０ｎｍの波長帯のうち少なくとも１の波長帯に表れる波長成分であることを特徴とする請求項１に記載の透過型スクリーン。
【請求項３】
前記第２着色部は、前記第２着色材を微細な点状又は線状等のパターンで付与した着色部であることを特徴とする請求項１又は２に記載の透過型スクリーン。
【請求項４】
前記透過型スクリーンが、フレネルレンズシート、光拡散シート及びフロントシートから選択されるシートを少なくとも１以上有することを特徴とする請求項１〜３のいずれかに記載の透過型スクリーン。
【請求項５】
前記第１着色部と前記第２着色部が、前記透過型スクリーンを構成する同一のシートの表面若しくは内部のいずれかに設けられていることを特徴とする請求項１〜４のいずれかに記載の透過型スクリーン。
【請求項６】
前記第１着色部と前記第２着色部が、前記透過型スクリーンを構成する別のシートの表面若しくは内部のいずれかに設けられていることを特徴とする請求項１〜４のいずれかに記載の透過型スクリーン。
【請求項７】
任意の波長成分からなる映像光を投射する投射装置を備えた背面投射型プロジェクションテレビジョンに装着される透過型スクリーン用のシートであって、
当該シートは、前記波長成分中のの特定の波長成分を吸収する第１着色材により着色された第１着色部と、前記第１着色材で着色された色の補色又は当該補色に近い色を呈する第２着色材により着色された第２着色部とを有することを特徴とする透過型スクリーン用シート。
【請求項８】
請求項１〜６のいずれかに記載の透過型スクリーンと、当該透過型スクリーンに映像光を投射するための投射装置とを少なくとも有することを特徴とする背面投射型プロジェクションテレビジョン。
【発明の詳細な説明】
【技術分野】
【０００１】
本発明は、電源を切った後のスクリーン表面の知覚色を、自然且つ違和感のない色にした透過型スクリーン及び透過型スクリーン用シート並びに背面投射型プロジェクションテレビジョンに関するものである。
【背景技術】
【０００２】
背面投射型のプロジェクションテレビジョン（以下、背面投射型ＰＴＶという。）として、ＣＲＴ方式、ＬＣＤ方式、ＤＬＰ方式等の投射装置を備えた背面投射型ＰＴＶが知られている。例えばＣＲＴ３管式の投射装置を備えた背面投射型ＰＴＶは、赤（Ｒ）、緑（Ｇ）、青（Ｂ）の３原色光からなる映像光をＣＲＴ管から透過型スクリーンに拡大投影し、そのスクリーンを透過した投影映像を手前側から観察する映像装置であり、また、ＬＣＤ方式やＤＬＰ方式等の単光源型の投射装置を備えた背面投射型ＰＴＶは、Ｒ、Ｇ、Ｂの３原色光からなる映像光を投射装置から透過型スクリーンに拡大投影し、そのスクリーンを透過した投影映像を手前側から観察する映像装置である。こうした背面投射型ＰＴＶに用いられる透過型スクリーンは、一般的に、映像光を略平行光とするためのフレネルレンズシートと、視野角を水平方向や垂直方向に広げるための光拡散シート等で構成されている。
【０００３】
こうした背面投射型ＰＴＶのうち、例えばＣＲＴ３管式の投射装置を備えた背面投射型ＰＴＶにおいて、Ｒ．Ｇ．Ｂからなる映像光の発光スペクトルは、Ｒ．Ｇ．Ｂの各ＣＲＴ光源が備える蛍光材特有の波長特性を示している。例えば、図１４に示すように、赤色光用光源の発光スペクトル（Ｒ）は、きわめて急峻なメインピークを６１０〜６２０ｎｍ付近に有し、小さなサブピークを５８０〜６００ｎｍ付近、６１０〜６４０ｎｍ付近及び７００〜７２０ｎｍ付近に有している。また、緑色光用光源の発光スペクトル（Ｇ）は、きわめて急峻なメインピークを５３０〜５６０ｎｍ付近に有し、小さなサブピークを４８０〜５１０ｎｍ付近、５７０〜６１０ｎｍ付近及び６１０〜６４０ｎｍ付近に有している。また、青色光用光源の発光スペクトル（Ｂ）は、メインピークを約４５０ｎｍ付近に有している。こうした発光スペクトルを有する映像光は、特に緑色光用光源のサブピークが、赤色光用光源及び青色用光源のメインピークと干渉しあい、透過型スクリーンに拡大投影される画像の色純度や色再現性を低下させるという問題があった。
【０００４】
こうした問題に対しては、従来、干渉する波長成分を吸収するための着色材で着色したレンチキュラーレンズシート又はフロントシートが透過型スクリーン用シートとして提案されている。例えば、特許文献１には、緑色光用光源の発光スペクトルのうち、５６０〜６００ｎｍの波長帯をカットするネオジウム含有アクリル樹脂を含有させた着色シートが提案されている。
【０００５】
なお、着色材で着色した透過型スクリーン用のシートに関連する先行技術については、透過型スクリーン上の映像をできるだけ均一で自然なものとするために、フロントシートに光吸収材を含有させてコントラストの向上を図ったり、レンチキュラーレンズシート中に拡散材を含有させて光拡散化を行ったりしている例がある。例えば特許文献２には、上記の波長成分に対して選択波長透過率を有するスモークシートを用いたり、シート中に選択波長透過率を形成する材料を混合することが提案されている。また、例えば特許文献３では、レンチキュラーレンズシートの観察者側の面を三層構造とし、任意の層に光吸収材や光拡散材を含有させてコントラストの低下を防ぐことが検討されている。
【特許文献１】特開平６−８８００７号公報
【特許文献２】特開平４−３０６６３０号公報
【特許文献３】特開平５−１３４３２０号公報
【発明の開示】
【発明が解決しようとする課題】
【０００６】
しかしながら、上述の着色したシートを有する透過型スクリーンを装着した背面投射型ＰＴＶは、電源を切って光源を消した後に外光がスクリーン前面から入射すると、その外光が透過型スクリーンの表面若しくは裏面又は当該スクリーン内部の拡散材に反射して着色したシートの色（シートの物体色のこと）が観察者に認知されてしまうことがあり、観察者に不自然な印象を与えることがあった。
【０００７】
本発明は、上記課題を解決するためになされたものであって、その目的は、電源を切って光源を消した後のスクリーン表面の知覚色が自然で違和感がない色にした透過型スクリーン及び透過型スクリーン用シート並びに背面投射型プロジェクションテレビジョンを提供することにある。
【課題を解決するための手段】
【０００８】
上記課題を解決するための本発明の透過型スクリーンは、任意の波長成分からなる映像光を投射する投射装置を備えた背面投射型プロジェクションテレビジョンに装着される透過型スクリーンであって、当該透過型スクリーンは、前記波長成分中の特定の波長成分を吸収する第１着色材により着色された第１着色部と、前記第１着色材で着色された色の補色又は当該補色に近い色を呈する第２着色材により着色された第２着色部とを有することを特徴とする。
【０００９】
この発明の透過型スクリーンは、映像光を構成する任意の波長成分中の特定の波長成分を吸収する第１着色材により着色された第１着色部と、第１着色材で着色された色の補色又は当該補色に近い色を呈する第２着色材により着色された第２着色部とを有するので、例えば前記の特定波長をシートの物体色の彩度を下げることができる波長とすれば、電源を切って光源を消した後におけるスクリーンの知覚色の彩度を低下させることができる。その結果、スクリーンの知覚色が視覚的・心理的に刺激の少ない自然な色に補正され、観察者に不自然な印象を与えることがない。
【００１０】
なお、「知覚色」とは、対象となる光によって知覚される色であり、色の知覚は、一般に対象となる光の分光放射特性だけで決まるものではなく、対象物がどう見えるか、例えば光を反射している物体なのか等により決まるものである。また「物体色」は、日本工業規格（ＪＩＳ）では、光を反射又は透過する物体の色として定義され、国際照明委員会（ＣＩＥ）では、物体に属しているように知覚される色として定義されている。
【００１１】
本発明の透過型スクリーンにおいて、前記波長成分が、４８０〜５１０ｎｍの波長帯、５８０〜６００ｎｍの波長帯及び６１０〜６４０ｎｍの波長帯のうち少なくとも１の波長帯に表れる波長成分であることが好ましい。
【００１２】
この発明によれば、前記特定の波長成分が上記波長帯のうち少なくとも１の波長帯に表れる波長成分であるので、例えばその波長帯が３本のＣＲＴ光源のサブピークに相当する波長である場合には、３本のＣＲＴ光源を用いた背面投射型ＰＴＶが表示する映像の色純度を高めることができると共に、透過型スクリーンの知覚色の彩度を低下させることができる。
【００１３】
本発明の透過型スクリーンにおいて、前記第２着色部は、前記第２着色材を微細な点状又は線状等のパターンで付与した着色部であることを特徴とする。
【００１４】
この発明によれば、第２着色部が第２着色材を微細な点状又は線状等のパターンで付与した着色部であるので、観察者の知覚では、第１着色材で着色された色と、第２着色材で着色された色との並置混色が生じる。その結果、透過型スクリーンの知覚色の彩度を低下させることができる。
【００１５】
本発明の透過型スクリーンにおいて、前記透過型スクリーンが、フレネルレンズシート、光拡散シート及びフロントシートから選択されるシートを少なくとも１以上有することを特徴とする。
【００１６】
この発明によれば、フレネルレンズシート、光拡散シート及びフロントシートから選択されるシートを少なくとも１以上有するものであれば、その構成はいずれの構成であってもよく、例えば光拡散シートからなる一枚構成のもの、フレネルレンズシートのみからなる一枚構成のもの、光拡散シートとフレネルレンズシートからなる２枚構成のもの、フレネルレンズシートとフロントシートからなる２枚構成のもの、フレネルレンズシートと光拡散シートとフロントシートからなる３枚構成のもの、等を挙げることができる。
【００１７】
本発明の透過型スクリーンにおいて、前記第１着色部と前記第２着色部が、前記透過型スクリーンを構成する同一のシートの表面若しくは内部のいずれかに設けられていてもよいし、前記透過型スクリーンを構成する別のシートの表面若しくは内部のいずれかに設けられていてもよい。
【００１８】
これらの発明によれば、第１着色部と第２着色部の作用により透過型スクリーン全体としてスクリーンの知覚色が視覚的・心理的に刺激の少ない自然な色に補正され、観察者に不自然な印象を与えることがないようになっていれば、その第１着色部と第２着色部は、透過型スクリーンを構成する同じ又は別のシートの何れかの部位に設けられていればよい。
【００１９】
上記課題を解決する本発明の透過型スクリーン用シートは、任意の波長成分からなる映像光を投射する投射装置を備えた背面投射型プロジェクションテレビジョンに装着される透過型スクリーン用のシートであって、当該シートは、前記波長成分中のの特定の波長成分を吸収する第１着色材により着色された第１着色部と、前記第１着色材で着色された色の補色又は当該補色に近い色を呈する第２着色材により着色された第２着色部とを有することを特徴とする。
【００２０】
この発明は、第１着色部と第２着色部が同一のシートの表面若しくは内部のいずれかに設けられている場合であり、この発明に係るシートによれば、映像光を構成する任意の波長成分中の特定の波長成分を吸収する第１着色材により着色された第１着色部と、第１着色材で着色された色の補色又は当該補色に近い色を呈する第２着色材により着色された第２着色部とを有するので、このシートを透過型スクリーン用シートとすれば、例えば前記の特定波長をシートの物体色の彩度を下げることができる波長とすれば、電源を切って光源を消した後におけるスクリーンの知覚色の彩度を低下させることができる。その結果、スクリーンの知覚色が視覚的・心理的に刺激の少ない自然な色に補正され、観察者に不自然な印象を与えることがない。
【００２１】
上記課題を解決する本発明の背面投射型プロジェクションテレビジョンは、上記本発明の透過型スクリーンと、当該透過型クリーンに映像光を投射するための投射装置とを少なくとも有することを特徴とする。
【００２２】
この発明によれば、電源を切って光源を消した後におけるスクリーンの知覚色の彩度を低下させることができるので、スクリーンの知覚色が視覚的・心理的に刺激の少ない自然な色に補正され、観察者に不自然な印象を与えることがない背面投射型プロジェクションテレビジョンを提供できる。
【発明の効果】
【００２３】
本発明の透過型スクリーン及び透過型スクリーン用シートによれば、前記の特定波長をシートの物体色の彩度を下げることができる波長とすれば、電源を切って光源を消した後におけるスクリーンの知覚色の彩度を低下させることができるので、スクリーンの知覚色が視覚的・心理的に刺激の少ない自然な色に補正され、観察者に不自然な印象を与えることがない。
【００２４】
また、本発明の背面投射型ＰＴＶによれば、上記透過型スクリーン及び透過型スクリーン用シートを備えるので、スクリーンの知覚色が視覚的・心理的に刺激の少ない自然な色に補正され、観察者に不自然な印象を与えることがない背面投射型プロジェクションテレビジョンを提供できる。
【発明を実施するための最良の形態】
【００２５】
以下、本発明の透過型スクリーン及び透過型スクリーン用シート並びに背面投射型プロジェクションテレビジョン（以下、ＰＴＶともいう。）について、図面を参照しつつ説明する。なお、以下の各図面は、特徴部分を模式的に表したものであるので、形状や寸法比は必ずしも実際の形状や寸法比と一致するものではないと共に、本発明の技術的範囲は以下の実施形態に限定解釈されるものではないことを申し添える。
【００２６】
（透過型スクリーン及び透過型スクリーン用シート）
図１は、本発明の透過型スクリーンが装着されたＰＴＶの一例を示す模式的な斜視図であり、図２は、そのＰＴＶを横側から見たときの模式的な構成図である。図１に示す透過型スクリーン１５は、投射装置１１を備えたＰＴＶ１に装着された透過型スクリーンであって、観察者側の面にフレネルレンズが形成されたフレネルレンズシート１４と、そのフレネルレンズシート１４の観察者側に配置された光拡散シート１３とから構成されたものの例である。こうした透過型スクリーン１５は、ＰＴＶ１の観察者側２０の前面に枠体１６によって装着されており、そのＰＴＶ１の内部には、例えばＲＧＢのＣＲＴ３管からなる投射装置１１が設置されている。投射装置１１から投射された投射光（映像光ともいう）は、ミラー１２で反射され、フレネルレンズシート１４と光拡散シート１３からなる透過型スクリーン１５の背面側から投射される。
【００２７】
図１に示す透過型スクリーン１５は、両面レンチキュラーレンズシートを光拡散シート１３として用いている。この両面レンチキュラーレンズは、上下方向に延びるシリンドリカルレンズが表裏両面に形成され且つそれぞれの面で水平方向に配列された態様で形成されていると共に、観察者側の面には上下方向に延びるブラックストライプ層が水平方向に配列された形態からなるものであるが、本発明の透過型スクリーンは、他の形態の光拡散シートを用いたものであってもよく、例えば、上下方向に延びるシリンドリカルレンズが投射装置側に形成された片面レンチキュラーレンズシートを用いてもよいし、従来公知の他の光拡散シートを用いてもよい。また、透過型スクリーン１５を構成するフレネルレンズシート１４においても特に限定されず、図１に示すようなサーキュラー型のフレネルレンズシートであっても、水平方向に延びるプリズムが投射装置側に設けられた所謂リニアフレネルレンズシートであっても、従来公知の他のフレネルレンズシートであってもよい。また、図３に示すように、光拡散シート１３の観察者側に、映像の品位向上やスクリーンの傷つき防止ためのフロントシート１７が設けられた透過型スクリーン１５’であってもよい。
【００２８】
すなわち、本発明の透過型スクリーンは、ＰＴＶ１の製品仕様に応じた任意の構成を有するものであり、フレネルレンズシート、光拡散シート及びフロントシートから選択されるシートを少なくとも１以上有するものであれば、その構成はいずれの構成であってもよく、例えば光拡散シートからなる一枚構成のもの、フレネルレンズシートのみからなる一枚構成のもの、光拡散シートとフレネルレンズシートからなる２枚構成のもの、フレネルレンズシートとフロントシートからなる２枚構成のもの、フレネルレンズシートと光拡散シートとフロントシートからなる３枚構成のもの、等を挙げることができる。
【００２９】
本発明の特徴は、透過型スクリーンが、映像光を構成する任意の波長成分中の特定の波長成分を吸収する第１着色材により着色された第１着色部と、第１着色材で着色された色の補色又は当該補色に近い色を呈する第２着色材により着色された第２着色部とを有することにある。こうした特徴により、例えば特定波長をシートの物体色の彩度を下げることができる波長とすれば、電源を切って光源を消した後におけるスクリーンの知覚色の彩度を低下させることができる。その結果、スクリーンの知覚色が視覚的・心理的に刺激の少ない自然な色に補正され、観察者に不自然な印象を与えることがない。
【００３０】
なお、本発明は、任意の波長成分を有する映像光が投射される透過型スクリーンに係るものであるが、その映像光を投射する投射装置は特に限定されず、任意の波長成分からなる映像光を投射する投射装置であれば、図１に示すようなＲ（赤）、Ｇ（緑）、Ｂ（青）の３原色光がそれぞれのＣＲＴから投射される３管式のＣＲＴ光源であってもよいし、Ｒ、Ｇ、Ｂの３原色光が個々の画素から投射されるＬＣＤ方式やＤＬＰ方式等の単光源型の投射装置であってもよい。
【００３１】
図１４は、Ｒ．Ｇ．Ｂの３管式のＣＲＴ光源を用いた場合、各ＣＲＴ光源から発する各色の発光スペクトルデータである。各色のＣＲＴ光源からそれぞれ発したＲ、Ｇ、Ｂの３原色光の波長成分は、図１４に示すように、赤色光の波長成分、緑色光用光源の波長成分、及び青色光用光源の波長成分を持っている。赤色光の波長成分は、きわめて急峻なメインピークを６１０〜６２０ｎｍ付近に有し、小さなサブピークを５８０〜６００ｎｍ付近、６１０〜６４０ｎｍ付近及び７００〜７２０ｎｍ付近に有しており、緑色光用光源の波長成分は、きわめて急峻なメインピークを５３０〜５６０ｎｍ付近に有し、小さなサブピークを４８０〜５１０ｎｍ付近、５７０〜６１０ｎｍ付近及び６１０〜６４０ｎｍ付近に有し、青色光用光源の波長成分は、メインピークを約４５０ｎｍ付近に有している。
【００３２】
本発明の透過型スクリーンは、こうした波長成分のうち、透過型スクリーンに拡大投影される画像の色純度や色再現性を低下させることのある特定の波長成分を吸収するための第１着色材で着色された第１着色部を有している。特定の波長成分は、画像の色純度や色再現性を低下させる不要な波長成分であり、図１４の発光スペクトルの例では、赤色光用光源のメインピークである６１０〜６２０ｎｍ付近のピークと青色用光源のメインピークである約４５０ｎｍ付近のピークに干渉する、緑色光用光源のサブピークである４８０〜５１０ｎｍ付近のピークと６１０〜６４０ｎｍ付近のピークとが挙げられる。また、画像の色純度や色再現性を低下させる不要な波長成分としては、緑色光用光源のサブピークである５８０〜６００ｎｍや、赤色光用光源のサブピークである５８０〜６００ｎｍも挙げることができる。本発明においては、第１着色部がこうした特定の波長成分を吸収するので、表示する映像の色純度を高めることができると共に、透過型スクリーンの知覚色の彩度を低下させることができる。
【００３３】
第１着色部は、透過型スクリーンを構成するシートの何れかの部位に設けられていればよく、例えば透過型スクリーンがフレネルレンズシート、光拡散シート及びフロントシートから選択されるシートを少なくとも１以上有するものであれば、構成される何れかのシートの表面（おもて面若しくはうら面）又はシート内部に設けられていればよい。
【００３４】
第１着色材としては、透過型スクリーンを構成するシートに一般に使用されている着色材を使用することができるが、好ましくは、上述した特定の波長成分を吸収することを目的として選択された着色材が挙げられる。その一例として、上記の緑色光用光源のサブピークである４８０〜５１０ｎｍ付近のピークを吸収することができるアンスラキノン系の赤色染料を挙げることができる。また、上記の緑色光用光源のサブピークである６１０〜６４０ｎｍ付近のピークを吸収することができるフタロシアニンブルーと呼ばれるフタロシアニン系の染料を挙げることができる。
【００３５】
また、本発明の透過型スクリーンは、上述した第１着色材で着色された色の補色又は当該補色に近い色を呈する第２着色材により着色された第２着色部を有している。この第２着色部も上記第１着色部と同様、透過型スクリーンを構成するシートの何れかの部位に設けられていればよく、例えば透過型スクリーンがフレネルレンズシート、光拡散シート及びフロントシートから選択されるシートを少なくとも１以上有するものであれば、構成される何れかのシートの表面（おもて面若しくはうら面）又はシート内部に設けられていればよい。
【００３６】
第２着色部は、観察者の知覚において、第１着色材で着色された色と第２着色材で着色された色との並置混色が生じるように設けることが好ましく、その結果、透過型スクリーンの知覚色の彩度を低下させることができる。並置混色が生じるように設けた例としては、例えば、第２着色材を微細な点状又は線状等のパターンで付与した第２着色部を挙げることができるが、こうした形態に限定され得るものではない。
【００３７】
上述した第１着色部と第２着色部は、透過型スクリーンを構成する同一のシートの表面（おもて面もしくはうら面）又はシート内部のいずれかに設けられていてもよいし、透過型スクリーンを構成する別のシートの表面（おもて面もしくはうら面）又はシート内部のいずれかに設けられていてもよい。このように、第１着色部と第２着色部の作用により透過型スクリーン全体としてスクリーンの知覚色が視覚的・心理的に刺激の少ない自然な色に補正され、観察者に不自然な印象を与えることがないようになっていれば、その第１着色部と第２着色部は、透過型スクリーンを構成する同じ又は別のシートの何れかの部位に設けられていればよい。
【００３８】
次に、こうした第１着色部と第２着色部を有する透過型スクリーンの構成例について説明する。
【００３９】
図４は、本発明の透過型スクリーンを構成する両面レンチキュラーレンズシートの一例を示す部分断面図である。図４に示す両面レンチキュラーレンズシート３１は、第１着色材を含有する樹脂組成物からなる第１着色部３２で両面のレンズ３４，３５が形成された単層構成のシートである。図４において、観察者側Ｐのレンズ３５，３５間の台状部上にはブラックストライプ層３３が設けられ、そのブラックストライプ層３３上には、第２着色材を含有する組成物からなる層状の第２着色部４１が設けられている。図４において、符号３４は投射装置側に設けられたレンズである。
【００４０】
図５は、本発明の透過型スクリーンを構成する両面レンチキュラーレンズシートの他の例を示す部分断面図である。図５の（Ａ）〜（Ｃ）に示す両面レンチキュラーレンズシート３７，３８，３９は、第１着色部３２が両面レンチキュラーレンズ部の一部の層として設けられている点で図４に示す例とは異なっているが、層状の第２着色部４１がブラックストライプ層３３上に設けられている点は図４に示す例と同じである。
【００４１】
具体的には、図５（Ａ）に示す両面レンチキュラーレンズシート３７は、着色材を含まない樹脂組成物からなる樹脂層３６で投射装置側のレンズ３４が形成され、第１着色材を含む樹脂組成物からなる第１着色部３２で観察者側のレンズ３５が形成された２層構成の複合シートである。図５（Ａ）において、第２着色材を含有する組成物からなる第２着色部４１は、観察者側Ｐのレンズ３５，３５間のブラックストライプ層３３上に層状形態で設けられている。また、図５（Ｂ）に示す両面レンチキュラーレンズシート３８は、着色材を含まない樹脂組成物からなる樹脂層３６で両面のレンズ３４，３５が形成され、第１着色材を含む樹脂組成物からなる第１着色部３２で投射装置側のレンズ３４表面が覆われている２層構造の複合シートである。図５（Ｂ）において、第２着色材を含有する組成物からなる第２着色部４１は、観察者側Ｐのレンズ３５，３５間のブラックストライプ層３３上に層状形態で設けられている。また、図５（Ｃ）に示す両面レンチキュラーレンズシート３９は、着色材を含まない樹脂組成物からなる樹脂層３６で両面のレンズ３４，３５の大部分が形成され、第１着色材を含む樹脂組成物からなる第１着色部３２で投射装置側のレンズ３４表面が覆われ、光拡散材を含む樹脂層４０で観察者側のレンズ３５表面が覆われている３層構造の複合シートである。図５（Ｃ）において、第２着色材を含有する組成物からなる第２着色部４１は、観察者側Ｐのレンズ３５，３５間のブラックストライプ層３３上に層状形態で設けられている。
【００４２】
図６は、本発明の透過型スクリーンを構成する片面レンチキュラーレンズシートの一例を示す部分断面図である。図６の（Ａ）（Ｂ）に示す片面レンチキュラーレンズシート５０，５１は、第１着色材を含有する樹脂組成物からなる第１着色部５２で投射装置側のレンズ５４が形成された単層構成のシートである点で同じであるが、図６（Ａ）に示す片面レンチキュラーレンズシート５０は、観察者側Ｐの面に、第２着色材を含有する組成物からなる層状の第２着色部５３が設けられており、図６（Ｂ）に示す片面レンチキュラーレンズシート５１の観察者側Ｐの面には、レンズ５４の集光部以外の部位に形成されたブラックストライプ層３３と、そのブラックストライプ層３３上に形成された層状の第２着色部５３とを有している。なお、図６（Ｂ）において、観察者側の面には、必要に応じて、ブラックストライプ層３３及び第２着色部５３を覆って略平坦にする樹脂層４２が設けられていてもよい。
【００４３】
図７は、本発明の透過型スクリーンを構成する片面レンチキュラーレンズシートの他の例を示す部分断面図である。図７の（Ａ）（Ｂ）に示す片面レンチキュラーレンズシート５５，５７は、第１着色部５２，５８が片面レンチキュラーレンズ部の一部の層として設けられている点で図６に示す例とは異なっているが、第２着色部５３が観察者側Ｐの面に設けられている点は図６に示す例と同じである。
【００４４】
具体的には、図７（Ａ）に示す片面レンチキュラーレンズシート５５は、第１着色材を含有する樹脂組成物からなる第１着色部５２で投射装置側のレンズ５４が形成され、そのレンズ５４の形状に沿うように着色層５６が設けられた２層構造の複合シートである。図７（Ａ）において、観察者側Ｐの面には、第２着色材を有する組成物からなる層状の第２着色部５３が設けられている。また、図７（Ｂ）に示す片面レンチキュラーレンズシート５７は、着色材を含まない樹脂組成物からなる樹脂層５９で投射装置側のレンズ５４が形成され、そのレンズ５４の形状に沿うように着色層５６が設けられ、それ以外の観察者側の部位には、第１着色材を含有する樹脂組成物からなるシートがラミネートされた複合シートである。この複合シートにおいて、第１着色材を含有する樹脂組成物からなるシートは第１着色部５２として機能し、その第１着色部５２の観察者側Ｐの面には、第２着色材を有する組成物からなる層状の第２着色部５３が設けられている。なお、着色層５６は、外光反射を効率的に減衰させることを目的に設けられるものである。
【００４５】
図８は、本発明の透過型スクリーンを構成するフロントシートの例を示す部分断面図である。図８に示すフロントシート６１は、第１着色材を含有する樹脂組成物からなる第１着色部６２で形成された単層構成のシートである。図８において、観察者側Ｐの面には、第２着色材を含有する組成物からなる層状の第２着色部６３が設けられている。
【００４６】
図９は、本発明の透過型スクリーンの他の一例を示す模式的な横断面図である。図９に示す透過型スクリーンは、サーキュラー型のフレネルレンズシート１４と、楔形の光吸収部７６を有する光拡散シート７１とで構成されたものである。具体的には、サーキュラー型のフレネルレンズシート１４は、フレネルレンズが観察者側に形成された一般的なフレネルレンズシート１４であるが、このフレネルレンズシート１４は第１着色材を含有する樹脂組成物で形成されている。また、光拡散シート７１は、図９に示すように、基材部７２上に光拡散部７３が形成され、その光拡散部７３のさらに観察者側には光拡散シート７１全体に剛性を与えるための支持板７４が接合されている。光拡散部７３は、観察者側から投射装置側に向かって先細る楔形の光吸収部７６が上下方向に延びる形態で形成され、その光吸収部７６が一定のピッチで左右方向に配列されている。この光吸収部７６には、第２着色材が含まれている。なお、隣り合う光吸収部７６，７６間には、観察者側に向かって幅が狭くなる頂部を有する略台形状の光透過部７５が形成されている。
【００４７】
図９に示す本発明の透過型スクリーンにおいて、第１着色材を含有する樹脂組成物で形成されたフレネルレンズシート１４は第１着色部として作用し、第２着色材を含む光吸収部７６は、第２着色部として作用する。なお、図９においては、フレネル中心がシート内にあるサーキュラー型のフレネルレンズシート１４を例示しているが、フレネルレンズシートはこの形態のものに限らず、プリズムが水平方向に延びる所謂リニアフレネルレンズシートであってもよいし、フレネル中心がシート内になく、フレネルレンズが投射装置側の面に設けられた所謂全反射フレネルレンズシートであってもよい。
【００４８】
図１０は、図９に示す光拡散シートの光吸収部の形態例を示す模式的な断面図である。第２着色部として作用する、第２着色材を含む光吸収部７６の形態として、図１０（Ａ）〜（Ｃ）に示すような形態を挙げることができる。図１０（Ａ）に示す形態は、Ｖ字型の溝内の樹脂８２中に黒色の光吸収性粒子８１が充填され、第２着色材はその光吸収性粒子８１に含まれている例である。また、図１０（Ｂ）に示す形態は、Ｖ字型の溝内に黒色染料又は黒色顔料を含む光吸収性の樹脂組成物８３が充填され、第２着色材はその樹脂組成物８３に含まれている例である。また、図１０（Ｃ）に示す形態は、Ｖ字型の溝内に黒色染料又は黒色顔料を含む光吸収性の樹脂組成物８５が充填され、第２着色材は溝の観察者側の入口部分に層状に設けられている例である。
【００４９】
図１１は、本発明の透過型スクリーンの他の一例を示す横断面図である。図１１に示す透過型スクリーン９１は、サーキュラー型のフレネルレンズ部９２が投射装置側の面に形成され、上下方向に延びるシリンドリカルレンズ９８が水平方向に一定ピッチで配列されているレンチキュラーレンズ部９４が観察者側の面に形成されてなる一体型の透過型スクリーン９１である。この透過型スクリーン９１において、フレネルレンズ部９２とレンチキュラーレンズ部９４は、基材部９３の両面に接合された態様で一体化されている。図１１に示す透過型スクリーン９１において、基材部９３は、第１着色材を含有する樹脂組成物で形成されており、第１着色部として作用する。また、水平方向に一定ピッチで配列するシリンドリカルレンズ９８，９８間にはＶ字型の全反射面９６，９７が形成されているが、その全反射面９６，９７の表面に、第２着色材を含む組成物９５が層状に設けられており、その層状の組成物９５が第２着色部として作用する。
【００５０】
なお、図１１においては、レンチキュラーレンズ９４が全反射面９６，９７をレンズ９８，９８間に有する形態のレンチキュラーレンズ部９４を例示しているが、レンチキュラーレンズ部９４はこの形態のものに限らず、図４及び図５に示す両面レンチキュラーレンズシートの観察者側のレンズ形態（レンズとブラックストライプ層と層状の第２着色部を有する形態）を適用したものであってもよいし、図６（Ｂ）に示す片面レンチキュラーレンズシートの観察者側のレンズ形態（ブラックストライプ層と層状の第２着色部を有する形態）を適用したものであってもよい。また、フレネルレンズ部９２についても、図示のようなフレネル中心がシート内にあるサーキュラー型のフレネルレンズ部に限らず、プリズムが水平方向に延びる所謂リニアフレネルレンズ部であってもよいし、フレネル中心がシート内になく、フレネルレンズが投射装置側の面に設けられた所謂全反射フレネルレンズ部であってもよい。
【００５１】
上述した透過型スクリーンの各実施形態において、第１着色部中の第１着色材の含有量は、映像光を構成する波長成分中の特定の波長成分を吸収することができると共に、透過型スクリーンに拡大投影される画像の色純度や色再現性を低下させないように設定される。同様に、層状の第１着色部の厚さは、投射される映像光に含まれる波長成分のうちの特定の波長成分を吸収して透過型スクリーンに拡大投影される画像の色純度や色再現性が低下しない厚さとなるように任意に設定される。
【００５２】
また、上述した透過型スクリーンの各実施形態において、第２着色部は、通常、第２着色材を含有する印刷インキ等を塗布することにより形成される。また、第２着色部は、図４、図５及び図６（Ｂ）に示すように、ブラックストライプ層３３上に塗布形成してもよいが、第２着色材をブラックストライプ層形成用インキに混入し、第２着色材を含むブラックストライプ層３３としてもよい。
【００５３】
次に、補色の作用効果及び第２着色材について詳しく説明する。
【００５４】
第２着色材は呈すべき補色によって選択され、その補色は、第１着色材で着色された色に応じて選択される。本願において「補色」とは、混色すると無彩色になる関係の色（物理補色）をいい、例えば、第１着色材で着色された色が青色の場合には、補色は黄色となり、その黄色を表すための補色用第２着色材が選択される。また、第１着色材で着色された色が赤紫色（マゼンタ）の場合には、補色は緑色となり、その緑色を表すための補色用第２着色材が選択される。
【００５５】
第２着色材を上記のように選択することにより、第１着色部と第２着色部とを有する本発明の透過型スクリーンは、電源を切って光源を消した後において、その表面の知覚色を無彩色化することができる。そのため、光源を消した後の透過型スクリーンの物体色が観察者に認知され難く、人間の視覚的・心理的に刺激の少ない自然な色になり、観察者に不自然な印象を与えることがない。
【００５６】
なお、前記したように、第２着色材をブラックストライプ層形成用インキに混入し、第２着色材を含むブラックストライプ層３３とする場合、基本的には黒を基調とした色を呈することになるが、こうして形成された透過型スクリーンであっても、電源を切って光源を消した後の知覚色の彩度を低下させることができる。例えば、第１着色材を含有させて青色を呈するシートを形成し、そのシートに、黄色を呈する第２着色材を含むブラックストライプ層を形成した場合は、ブラックストライプ層の表面は黄色みを帯びた黒色を呈し、青色に着色されたシートの知覚色の彩度を低下させることができる。
【００５７】
補色は、並置混色によって得られるものであってもよい。例えば、第１着色材で着色された色が赤紫色（マゼンタ）の場合、第２着色材としてイエローを表す着色材とシアンを表す着色材とが例えば点状のパターンでシート表面に付与されると、並置混色が生じて補色である緑色を形成した場合と同様の効果を奏することになる。
【００５８】
第２着色材は、「補色に近い色」を呈するものであってもよい。例えば、観察者に不自然な印象を与えない程度にまで透過型スクリーンの知覚色の彩度を低下することができれば、その補色と同一の色相にある色を呈するものであってもよい。例えば、第１着色材で着色された色が赤紫色（マゼンタ）の場合、その補色となる緑色と明度又は彩度が異なる緑色を選択することができ、その色を表すための補色用第２着色材が選択される。このような補色に近い色が付与されたシートであっても、電源を切って光源を消した後における透過型スクリーンの知覚色の彩度を低下させることができ、観察者に与える不自然な印象を低減することができる。
【００５９】
このような「補色に近い色」は、透過型スクリーンの知覚色の彩度を考慮すると共に、コントラストや演色性等を考慮して適宜選択される。例えば、図４、図５及び図６（Ｂ）に示すように、第１着色部が両面又は片面レンチキュラーレンズシートに設けられ、層状の第２着色部がブラックストライプ層上に形成されている場合、コントラストに与える影響を考慮して第２着色に含まれる第２着色材を選択する。すなわち、付与すべき補色の彩度が高く鮮やかである場合に、そうした補色をブラックストライプ層の表面に付与すると、外光反射が増加してコントラストを低下させてしまう。そのため、スクリーンの知覚色の彩度を考慮しつつ、その補色と同一の色相にある色であってコントラストに影響を与えない程度に彩度が低い色を呈する第２着色材が選択される。
【００６０】
第２着色材としては、少なくとも透過型スクリーン又は透過型スクリーン用シートに使用しても問題が生じない耐光性、耐候性又は耐水性等の特性を有するものであれば、従来から知られている各種の着色材の中から選択することができる。
【００６１】
本発明においては、第２着色材を含む印刷インキ等をシートの表面又はブラックストライプ層３３上に塗布形成した第２着色部が、微細な点状又は線状等の任意のパターンを有するものであってもよい。こうしたパターンの第２着色部が形成されることにより、観察者の知覚では第１着色材の呈する色と第２着色材の呈する色との並置混色が生じ、透過型スクリーンの知覚色の彩度を低下させることができる。
【００６２】
図１２は、第２着色部の好ましいパターンの例を示す模式的な平面図である。図１２（Ａ）に示す第２着色部のパターンは、ブラックストライプ層３３上に点状の第２着色材４１ａを均一に分散させたものであり、図１２（Ｂ）に示す第２着色部のパターンは、ブラックストライプ層３３上に一定方向に向いた細長い形状の第２着色材４１ｂを均一に分散させたものであり、図１２（Ｃ）に示す第２着色部のパターンは、ブラックストライプ層３３上に線状の第２着色材４１ｃを略平行で等間隔に設けたものであり、図１２（Ｄ）に示す第２着色部のパターンは、ブラックストライプ層３３上に斜めに傾斜した線状の第２着色材４１ｄを略平行で等間隔に設けたものである。図１２は、図４及び図５の両面レンチキュラーレンズシートを例にしたものであるが、他のシートの場合も同様である。すなわち、図６及び図７に示す片面レンチキュラーレンズシート、図８に示すフロントシート、図９及び図１１に示す複合シートの場合も、第２着色部が上記のパターンであることが好ましい。
【００６３】
図１２（Ａ）（Ｂ）に示す点状又は細長い形状のパターンにおいて、その大きさ及び分散の程度は、透過型スクリーンの知覚色の観察者に与える印象が不自然でないようにその彩度を考慮して適宜決定される。また、両面レンチキュラーレンズシートのブラックストライプ層上に上記パターンの第２着色部を形成する場合には、コントラストが低下しない程度の黒色部分を確保できるように考慮して、その大きさや分散の程度が決定される。なお、図１２（Ｃ）（Ｄ）に示す線状のパターンにおいても、その線幅とピッチが同様に決定される。
【００６４】
図１３は、第２着色部の他のパターンの例を示す模式的な斜視図（Ａ）と平面図（Ｂ）である。図１３（Ａ）に示すシートは、両面レンチキュラーレンズシートであり、観察者側のレンズ３５，３５間の台状部にはブラックストライプ層３３が形成され、その台状部の肩部であってブラックストライプ層３３が形成されていない部位には第２着色部が形成されている。こうしたパターンからなる第２着色部を両面レンチキュラーレンズシートに形成してもよい。
【００６５】
第２着色部を透過型スクリーン又は透過型スクリーン用シートに形成する方法としては、例えば、第２着色材を含有させた印刷インキを印刷又はコーティング等する方法を挙げることができる。また、第２着色部を形成するシートが両面レンチキュラーレンズシートの場合には、第２着色材をブラックストライプ層形成用インキに混ぜ、これを印刷等してブラックストライプ層を形成することにより、第２着色部を形成することができる。印刷インキは、第２着色材を、バインダー、バインダーを溶剤で希釈したもの、又は、紫外線硬化性樹脂等の放射線硬化性樹脂に含有させて調整する。第２着色材の含有量は、所望の補色が表れるように調整し、また、必要なときはコントラストや演色性を考慮して調整する。また、上記ブラックストライプ層形成用インキとしては、従来公知のものを用いることができ、ブラックストライプ層形成用インキへの第２着色材の含有量は、上記の場合と同様に所望の補色が表れるように調整し、また、必要なときはコントラストや演色性を考慮して調整する。
【００６６】
こうして得られた本発明の透過型スクリーン又は透過型スクリーン用シートは、透過型スクリーンの電源が切れて光源が消光した場合において、その知覚色が、人間の視覚的・心理的に刺激の少ない自然な色になる。
【００６７】
（背面投写型透過型スクリーン）
本発明の背面投射型ＰＴＶは、上記本発明の透過型スクリーンと、その透過型クリーンに映像光を投射するための投射装置とを少なくとも有する。こうした構成とすることにより、電源を切って光源を消した後におけるスクリーンの知覚色の彩度を低下させることができる。その結果、スクリーンの知覚色が視覚的・心理的に刺激の少ない自然な色に補正され、観察者に不自然な印象を与えることがない背面投射型プロジェクションテレビジョンを提供できる。
【００６８】
ここで適用される投射装置は特に限定されず、任意の波長成分からなる映像光を投射する投射装置であれば、図１に示すようなＲ（赤）、Ｇ（緑）、Ｂ（青）の３原色光がそれぞれのＣＲＴから投射される３管式のＣＲＴ光源であってもよいし、Ｒ、Ｇ、Ｂの３原色光が個々の画素から投射されるＬＣＤ方式やＤＬＰ方式等の単光源型の投射装置であってもよい。
【実施例】
【００６９】
実施例により本発明を更に具体的に説明する。
【００７０】
（実施例１）
４３インチ型（縦６８０ｍｍ×横９００ｍｍ、アスペクト比３：４）の透過型スクリーン用の両面レンチキュラーレンズシートを作製した。両面レンチキュラーレンズシートは、ポリメチルメタクリレート樹脂組成物１００重量部中に、マゼンダを呈する第１着色材（三菱化学株式会社製、商品名：ダイアレジンレッド ）１．８重量部を均一に分散させた樹脂組成物を使用し、その樹脂組成物を対向する賦形ロールで成形することにより製造した。その後、観察者側の台状部にブラックストライプ層形成用インキを塗布してブラックストライプ層を形成した。得られた両面レンチキュラーレンズシートは、レンズピッチ０．７２ｍｍ、ブラックストライプ層の幅が０．３４ｍｍ、両面レンズ間の厚さＴは０．８８ｍｍであった。
【００７１】
得られた両面レンチキュラーレンズシートのブラックストライプ層上に、緑色を呈する第２着色材（バイエル社製、商品名：マクロレックスグリーン）を有する印刷インキで厚さ２０μｍの層状の第２着色部を形成した。こうして得られた両面レンチキュラーレンズシートと、投射装置側の面が平坦な厚さ２．２ｍｍで焦点距離が７５０ｍｍのサーキュラーフレネルレンズシートとを重ね、実施例１の透過型スクリーンを構成した。
【００７２】
（実施例２）
４３インチ型（縦６８０ｍｍ×横９００ｍｍ、アスペクト比３：４）透過型スクリーン用のフロントシートを作製した。フロントシートは、メタクリルスチレン共重合樹脂（ＭＳ樹脂）組成物１００重量部中に、マゼンダを呈する第１着色材−１（三菱化学株式会社製、商品名：ダイアレジンレッド）１．８重量部を均一に分散させ、さらに緑青色を呈する第１着色材−２（大日本インキ株式会社製、商品名：ダイレンブルー）２．０重量部を均一に分散させた樹脂組成物を使用し、その樹脂組成物を対向する賦形ロールで成形することにより製造した。その後、そのフロントシートの観察者側となる面に、緑を呈する第２着色材−１（バイエル社製、商品名：マクロレックスグリーン）と、オレンジを呈する第２着色材−２（住友化学株式会社製、商品名：スミプラストオレンジ）とを含有する印刷インキで厚さ２０μｍの層状の第２着色部を形成した。得られたフロントシートを、一般的な片面レンチキュラーレンズシートと一般的なサーキュラーフレネルレンズシートと組み合わせ、実施例２の透過型スクリーンを構成した。
【００７３】
（比較例１）
実施例１の両面レンチキュラーレンズシートのブラックストライプ層上に第２着色部を形成しなかった以外は、実施例１と同様にして、比較例１の透過型スクリーンを構成した。
【００７４】
（評価）
実施例１、実施例２及び比較例１の透過型スクリーンを４３インチ型（縦６８０ｍｍ×横９００ｍｍ、アスペクト比３：４）のプロジェクションＴＶに実装し、暗室下で電源を投入した暗室白画面を表示させて、画面中央部の色度を分光放射輝度計（ミノルタ株式会社製、ＣＳ−１０００、６０００Ｋランプ）により測定した。次に、部屋の照明を灯し、ＴＶの電源を消した明室黒画面で、同様に色度を測定した。その結果を表１に示した。実施例１及び実施例２は、暗室白画面と明室黒画面の差が小さく、良好な結果が得られた。
【００７５】
【表１】
2008170607.tif 000003
【図面の簡単な説明】
【００７６】
【図１】本発明の透過型スクリーンが装着されたＰＴＶの一例を示す模式的な斜視図である。
【図２】図１のＰＴＶを横側から見たときの模式的な構成図である。
【図３】フロントシートが設けられた本発明の透過型スクリーンの一例を示す模式的な斜視図である。
【図４】本発明の透過型スクリーンを構成する両面レンチキュラーレンズシートの一例を示す部分断面図である。
【図５】本発明の透過型スクリーンを構成する両面レンチキュラーレンズシートの他の例を示す部分断面図である。
【図６】本発明の透過型スクリーンを構成する片面レンチキュラーレンズシートの一例を示す部分断面図である。
【図７】本発明の透過型スクリーンを構成する片面レンチキュラーレンズシートの他の例を示す部分断面図である。
【図８】本発明の透過型スクリーンを構成するフロントシートの例を示す部分断面図である。
【図９】本発明の透過型スクリーンの他の一例を示す断面図である。
【図１０】図９に示す光拡散シートの光吸収部の形態例を示す模式的な断面図である。
【図１１】本発明の透過型スクリーンの他の一例を示す断面図である。
【図１２】第２着色部の好ましいパターンの例を示す模式的な平面図である。
【図１３】第２着色部の他のパターンの例を示す模式的な斜視図（Ａ）と平面図（Ｂ）である。
【図１４】Ｒ．Ｇ．Ｂの３管式のＣＲＴ光源を用いた場合、各ＣＲＴ光源から発する各色の発光スペクトルデータである。
【符号の説明】
【００７７】
１  背面投射型ＰＴＶ
１１  光源
１２  ミラー
１３，３１，３７，３８，３９  両面レンチキュラーレンズシート
１４  フレネルレンズシート
１５，１５’  透過型スクリーン
１６  枠体
１７，６１  フロントシート
３２，５２，５８，６２  第１着色部
３３  ブラックストライプ層
３４，３５，５４，９８  レンズ
３６，５９  着色材を含まない樹脂層
４０  光拡散材を含む樹脂層
４１，５３，６３，８４  第２着色部
４１ａ，４１ｂ，４１ｃ，４１ｄ  第２着色材
４２  樹脂層
５０，５１，５５，５７  片面レンチキュラーレンズシート
５６  着色層
７１  光拡散シート
７２  基材部
７３  光拡散部
７４  支持板
７５  光透過部
７６  光吸収部
８１  光吸収性粒子
８２  樹脂
８３，８５  光吸収性の樹脂組成物
９１  一体型透過型スクリーン
９２  フレネルレンズ部
９３  基材部
９４  レンチキュラーレンズ部
９５  第２着色材を含む組成物
９６，９７  全反射面
Ｐ  観察者側
【図１】
2008170607.tif 000004
【図２】
2008170607.tif 000005
【図３】
2008170607.tif 000006
【図４】
2008170607.tif 000007
【図５】
2008170607.tif 000008
【図６】
2008170607.tif 000009
【図７】
2008170607.tif 000010
【図８】
2008170607.tif 000011
【図９】
2008170607.tif 000012
【図１０】
2008170607.tif 000013
【図１１】
2008170607.tif 000014
【図１２】
2008170607.tif 000015
【図１３】
2008170607.tif 000016
【図１４】
2008170607.tif 000017